(57)【要約】【課題】屋内、特に一般家庭の室内において、一人だけが周囲から隔離された空間を簡易に構成でき、その空間内でやすらぎを得ることを容易に実現できる屋内用テントを提供する。【解決手段】屋内用テント１は、テント本体２と送風手段３とからなる。テント本体２は、中央に単一の開口２１１を有して環状に形成された下部材２１と、下部材２１の外周側に封止状態で一体に設けられ、内部が少なくとも空気により加圧されることにより、一人が入る空間を維持可能な上部材２２とからなる。下部材２１及び上部材２２は折り畳み可能な膜材からなる。送風手段３はテント本体２内に空気を送風可能である。屋内用テント１は、屋内の床９１上に下部材２１を載置した状態で、送風手段３によってテント本体２の内部に空気を送風することにより、上部材２２が空間を維持できるようにされている。【選択図】図２
2006070549.tif 000002
【特許請求の範囲】
【請求項１】
中央に単一の開口を有して環状に形成された下部材と、該下部材の外周側に封止状態で一体に設けられ、内部が少なくとも空気により加圧されることにより、一人が入る空間を維持可能な上部材とからなり、該下部材及び該上部材が折り畳み可能な膜材からなるテント本体と、
該テント本体内に空気を送風可能な送風手段とを備え、
屋内の床上に該下部材を載置した状態で、該送風手段によって該テント本体の内部に空気を送風することにより、該上部材が該空間を維持できるようにされていることを特徴とする屋内用テント。
【請求項２】
前記下部材及び前記上部材はフレームを有さないことを特徴とする請求項１記載の屋内用テント。
【請求項３】
前記上部材は光を透す透光窓を有していることを特徴とする請求項１又は２記載の屋内用テント。
【請求項４】
前記送風手段は、ブロアと、該ブロアの下流側に接続されて前記テント本体内に接続されるホースとを有することを特徴とする請求項１乃至３のいずれか１項記載の屋内用テント。
【請求項５】
前記送風手段は、冷風を発生させる冷風発生装置、温風を発生させる温風発生装置、マイナスイオンを発生させるマイナスイオン発生装置及び酸素を発生させる酸素供給装置の少なくとも一つを有することを特徴とする請求項１乃至４のいずれか１項記載の屋内用テント。
【発明の詳細な説明】
【技術分野】
【０００１】
本発明は屋内用テントに関する。
【背景技術】
【０００２】
特許文献１、２に従来のテントが開示されている。これらのテントは、内部が空気によって加圧されることにより、人が入る空間を維持可能な膜材からなるテント本体と、このテント本体内に空気を送風可能な送風手段とを備えている。膜材は折り畳み可能なものである。これらのテントは、送風手段によってテント本体内に空気を送風することにより、空間を維持できるようにされている。
【０００３】
これらのテントは、膜材が折り畳み可能なものであるため、任意の場所において短時間に設置され得る他、収納時には小さく折りたたむことができ、持ち運びも容易になっている。また、これらのテントは、設置に際し、膜材の周囲におもりが配置されたり、膜材の周囲をアンカー等によって固定されたりし、これによって屋外に設置された場合でも風に飛ばされないようにされている。
【０００４】
【特許文献１】実開昭６２−３２１５３号公報
【特許文献２】特許３２０４３９１号公報
【発明の開示】
【発明が解決しようとする課題】
【０００５】
しかし、上記従来のテントは、いずれも主に屋外に設置されるものであるため、テント本体における膜材の周囲におもりやアンカー等を必要としており、設置に手間を要する。特に、特許文献２開示のテントは、催事に用いられるものであるため、テント本体内に空気を入れることによって形成される空間が複数人を収納する大きさとされており、構造がより複雑なことから、設置がより面倒になっている。
【０００６】
一方、屋内、特に一般家庭の室内においては、人は、マッサージチェア、ソファー、ベッド等の設備を有しており、そのような設備によって自らを癒すことがある。近年のストレス社会においては、屋内においても、一人だけで周囲から隔離された空間に留まり、それによってやすらぎを得たいという願望が強くなってきている。このため、仮に上記従来のテントを用いてそのような願望を実現しようとしても、上記のテントは設置が面倒であり、屋内の設備をその内部に位置させる場合にはその傾向が特に顕著になることから、そのような願望を容易に実現することができない。
【０００７】
本発明は、上記従来の実情に鑑みてなされたものであって、屋内、特に一般家庭の室内において、一人だけが周囲から隔離された空間を簡易に構成でき、その空間内でやすらぎを得ることを容易に実現できる屋内用テントを提供することを解決すべき課題としている。
【課題を解決するための手段】
【０００８】
本発明の屋内用テントは、中央に単一の開口を有して環状に形成された下部材と、該下部材の外周側に封止状態で一体に設けられ、内部が少なくとも空気により加圧されることにより、一人が入る空間を維持可能な上部材とからなり、該下部材及び該上部材が折り畳み可能な膜材からなるテント本体と、
該テント本体内に空気を送風可能な送風手段とを備え、
屋内の床上に該下部材を載置した状態で、該送風手段によって該テント本体の内部に空気を送風することにより、該上部材が該空間を維持できるようにされていることを特徴とする。
【０００９】
本発明の屋内用テントは、テント本体の下部材及び上部材が折り畳み可能な膜材からなるため、任意の場所において短時間に設置され得る他、収納時には小さく折りたたむことができ、持ち運びも容易になっている。
【００１０】
そして、屋内において、一人だけで周囲から隔離された空間に留まり、それによってやすらぎを得たい場合、この屋内用テントを屋内に設置する。
【００１１】
この際、この屋内テントは下部材が中央に単一の開口を有して環状に形成されたものであるため、この屋内用テントを屋内、特に一般家庭の室内に設置する場合、一般家庭の室内に設置されたマッサージチェア、ソファー、ベッド等の設備の上からテント本体を覆い被せるようにして、テント本体を屋内の床上に載置することができる。これにより、ソファー等の設備は下部材が有する開口を単に通過し、そのままテント本体の内部に位置することとなる。
【００１２】
そして、屋内の床上に下部材を載置した状態で、送風手段によってテント本体の内部に空気を送風すると、上部材は下部材の外周側に封止状態で一体に設けられた構造であるので、送風手段によってテント本体の内部に送風された空気の圧力はテント本体の外部に対して若干高くなる。このため、テント本体の上部材は一人が入る空間を維持する。なお、余分な送風は床上に載置された下部材と床面との間を通過してテント本体の外部に流出することになり、テント本体の内部の圧力はほぼ一定に保たれる。
【００１３】
こうして、屋内用テントを設置した後にソファー等の設備を収容する作業や、ソファー等の設備を避けながら屋内用テントを組み立てる作業等の面倒な作業を要することなく、テント本体が周囲から隔離された空間を確保する。この空間は、やすらぎを得たいという願望を実現するものであるため、一人を収納する大きさがあれば充分である。この空間は、ドーム状、ピラミッド状、かまぼこ状等であり得る。
【００１４】
また、こうして、この屋内用テントは、屋内、特に一般家庭の室内に容易に設置される。この際、屋内に設置されることから、テント本体における上部材や下部材の周囲におもりやアンカー等を必要としない。
【００１５】
したがって、本発明の屋内用テントは、屋内、特に一般家庭の室内において、一人だけが周囲から隔離された空間を簡易に構成でき、その空間内でやすらぎを得ることを容易に実現できるのである。
【００１６】
膜材としては通気性がないもの又は通気性が殆どないものを用いることができ、具体的には、樹脂、ゴム、その他の材料からなるフィルム、シート又は織布若しく不織布等の布帛を採用することができる。また、布帛と樹脂、ゴムその他の材料とを複合させたもの等を採用することもできる。布帛と樹脂、ゴムその他の材料とを複合させたものとは、布帛に樹脂、ゴムその他の材料を含浸させたものや、布帛に樹脂、ゴム、その他の材料からなるフィルム又はシートを貼り合わせたもの等、各種のものを採用することができる。例えば、ターポリン等を膜材として採用することができる。下部材及び上部材折り畳み可能な膜材からなるが、下部材は、上部材よりも重く、形態の保持性が高い膜材からなることが好ましい。この場合、テント本体が送風手段によって加圧された場合でも、テント本体が床上から浮き上がることを抑制できるとともに、下部材が立ち上がってテント本体が変形することを抑制できる。
【００１７】
テント本体は空間内への出入口を有することができる。この出入口は、内部の空気の圧力を逃さないように、内部を気密に維持できるものであることが好ましい。
【００１８】
本発明の屋内用テントは、通常の屋外用テントと同様にフレームを有するものであることも可能であるが、下部材及び上部材がフレームを有さない構造であることが好ましい。本発明の屋内用テントにおいて、上部材は内部が少なくとも空気により加圧されることにより、一人が入る空間を維持可能とされているので、下部材及び上部材がフレームを有さない構造であっても、本発明の作用効果を奏することができる。このようにフレームを有さない場合には、収納時に、膜材からなるテント本体を折り畳むだけでよいので、フレームを分解、収納する手間を省くことができ、収納や持ち運びがさらに容易になるのである。
【００１９】
本発明の屋内用テントは、上部材は光を透す透光窓を有し得る。このようにすれば、使用者がこの屋内用テント内に入って休息する場合、空間内に光を採り入れることができる。これにより、圧迫感を緩和することができる。透光窓としては、有色又は無色の完全な透明又は半透明な窓を採用することができる。有色の窓は光の加減で虹色になるものであってもよい。
【００２０】
送風手段はテント本体内に空気を送風可能なものである。送風手段は少なくともブロアを有する。この送風手段は、テント本体内に内蔵されてもよく、テント本体に外付けされてもよい。すなわち、本発明の屋内用テントにおいて、送風手段は、ブロアと、このブロアの下流側に接続されてテント本体内に接続されるホースとを有する構成とし得る。このようにすれば、ブロアをホースによってテント本体からできるだけ離して設置することができるため、使用者がこの屋内用テント内に入って休息する場合に、送風手段の運転音がテント本体内に伝わり難くなる。このため、使用者にとって一層静かなやすらぎの空間を得ることが可能となるのである。具体的には、送風手段をテント本体から２ｍ以上離反させることが好ましい。ホースは、容易に撓むように蛇腹が形成されたフレキシブルホースであることが好ましい。また、フレキシブルホースとして、折り畳み可能な上記のような膜材が管状にされたものを採用することもできる。
【００２１】
送風手段は、冷風を発生させる冷風発生装置、温風を発生させる温風発生装置、マイナスイオンを発生させるマイナスイオン発生装置及び酸素を発生させる酸素供給装置の少なくとも一つを有することが好ましい。冷風発生装置は冷風を発生させることから、送風手段がこれを有すれば、テント本体の空間内に居る人を涼しくすることができる。温風発生装置は温風を発生させることから、送風手段がこれを有すれば、テント本体の空間内に居る人を暖かくすることができる。マイナスイオン発生装置はマイナスイオンを発生させることから、送風手段がこれを有すれば、テント本体の空間内をより癒し効果の高いものにすることができる。酸素供給装置は酸素を発生させることから、送風手段がこれを有すれば、テント本体の空間内に居る人の疲労回復効果を高めることができる。
【００２２】
これら冷風発生装置、温風発生装置、マイナスイオン発生装置及び酸素供給装置は室内に設けられたものであってもよい。室内に設けられた冷風発生装置等としては、エアコンディショナを採用することができる。室内のエアコンディショナを本発明に係る冷風発生装置等として採用すれば、そのエアコンディショナを通常のように使用することができるとともに、本発明の屋内用テントの送風手段の一部としても用いることができる。また、室内のエアコンディショナを本発明に係る冷風発生装置等として採用すれば、ブロアを簡易なものとすることができるため、屋内用テントのコストを安価なものにすることができる。
【発明を実施するための最良の形態】
【００２３】
以下、本発明を具体化した実施例１を図面を参照しつつ説明する。
【実施例１】
【００２４】
実施例１の屋内用テント１は、図１〜３に示すように、一般家庭の室内において、板製の床９１の上に載置されて使用されるものである。屋内用テント１の内部にはマッサージチェア４が位置しており、使用者１００がやすらぎを得ることができるようになっている。まず、この屋内用テント１の構成を説明する。
【００２５】
この屋内用テント１は、テント本体２と送風手段３とからなる。テント本体２は、下部材２１と上部材２２とからなる。
【００２６】
下部材２１は、内部が少なくとも空気により加圧された状態において、中央に単一の略楕円の開口２１１を有して環状に形成されたものである。図４に示す通り、この下部材２１は、床９１に垂直な断面で見て、Ｌ字形状をなしている。
【００２７】
一方、上部材２２は、図１〜３に示すように、内部が少なくとも空気により加圧された状態において、平面視では略楕円の逆椀形状をなしている。図４に示す通り、この上部材２２は、下部材２１の外周側に封止状態で一体に設けられている。封止部２１ａは、上部材２２の下側周縁と下部材２１の外周側とが重ねられた状態で接着されており、気密性が確保されている。こうして、上部材２２は、内部が少なくとも空気により加圧されることにより、一人が入る空間を維持可能となっている。
【００２８】
上部材２２は折り畳み可能な膜材からなっている。この膜材は、本実施例では、ナイロンタフタにポリウレタンコーティングを施したものを採用している。このため、この膜材は通気性がなく、折り畳むことができる。また、この膜材からなる上部材２２が送風手段３によって空間を維持することを容易にするため、膜材の目付（単位面積当たりの質量）は小さくされている。具体的に、本実施例における膜材の目付は、約８５ｇ／ｍ2である。膜材の目付の望ましい範囲としては、通常の屋外用テントに使用される膜材よりも軽いものであることが望ましく、特に１００ｇ／ｍ2以下であることが好ましい。このようにすれば、比較的小型の送風手段３を用いても、静かな運転音しか発生しない運転条件により、内部の空間を維持することができる。
【００２９】
また、下部材２１も折り畳み可能な膜材からなっているが、この下部材２１は、上部材２２よりも重く、形態の保持性が高い膜材からなっている。この膜材は、本実施例では、軟質プラスチックシートを採用しており、特に、封止部２１ａ付近の断面の形状がＬ字状に形態保持されるようになっている。このため、テント本体２が送風手段３によって加圧された場合でも、テント本体２が床９１上から浮き上がることを抑制できるとともに、下部材２１が立ち上がってテント本体２が変形することを抑制できる。
【００３０】
テント本体２において、上部材２２の側面には出入口２３が設けられている。この出入口２３の周縁には図示しないファスナが取り付けられており、出入口２３がこのファスナによって開閉可能になっている。ファスナは、内部の空気の圧力を逃さないように、内部を気密に維持できるものである。
【００３１】
また、テント本体２において、上述の通り、上部材２２は内部が少なくとも空気により加圧されることにより、一人が入る空間を維持可能とされているので、下部材２１及び上部材２２がフレームを有さない構造とされている。
【００３２】
さらに、テント本体２において、上部材２２は透光窓２４を有している。本実施例では、使用者１００がマッサージチェア４に座った状態で良好な視界が得られるように、上部材２２の上面で使用者１００の頭部側に透光窓２４が設けられている。透光窓２４としては、無色透明の塩化ビニル製シートである膜材を採用しているので、他の部分の膜材と一緒に小さく折り畳むことができる。
【００３３】
送風手段３はブロア３２とフレキシブルホース３３とを備えている。ブロア３２は家庭用電源によって駆動されるモータとファンとを内蔵したものであり、このブロア３２は吸引側に室内に開く吸入口３１を有している。ブロア３２の吐出側にフレキシブルホース３３の一端が接続されており、フレキシブルホース３３の他端がテント本体２に接続された送風口３４とされている。ブロア３２は、室内の壁９２に設置されたコンセント３５から供給された電力によって運転される。こうして、ブロア３２は、吸入口３１から空気を吸入し、フレキシブルホース３３を経由して、送風口３４からテント本体２の内部に空気を送風することができるようになっている。フレキシブルホース３３は２ｍ以上の長さを有しており、これによってブロア３２は、室内において、テント本体２から離れた壁９２の近くに配置されている。また、フレキシブルホース３３は、折り畳み可能な膜材が管状に成形されたものであり、収納時には小さく折り畳むことが可能となっている。
【００３４】
また、室内の壁９２の上方には、エアコンディショナ５が設置されている。本実施例ではエアコンディショナ５は、冷風発生装置、温風発生装置、マイナスイオン発生装置及び酸素供給装置を内蔵するものを採用している。ブロア３２はエアコンディショナ５の下方に位置するように置かれており、エアコンディショナ５から排出される冷風、温風、マイナスイオンを含む空気又は酸素を通常より多く含む空気は、吸入口３１からブロア３２によって吸入され、フレキシブルホース３３を経由し、送風口３４からテント本体２の内部に送風されることが可能とされている。このため、ブロア３２、フレキシブルホース３３及びエアコンディショナ５によって送風手段３が構成されている。
【００３５】
こうした構成である屋内用テント１は、以下のようにして使用することができる。
【００３６】
まず、図５に示すように、屋内用テント１を設置していない室内に、マッサージチェア４が置かれている。使用者１００は、室内において、一人だけで周囲から隔離された空間に留まり、それによってやすらぎを得たい場合、小さく折り畳まれていたテント本体２を広げて、マッサージチェア４の上からテント本体２を覆い被せるようにして、テント本体２を室内の床９１上に載置する。これにより、マッサージチェア４は下部材２１が有する開口２１１を単に通過し、そのままテント本体２の内部に位置することが可能となっている。
【００３７】
そして、図１〜３に示すように、室内の床９１上に下部材２１を載置した状態で、ブロア３２を駆動する。これによってテント本体２の内部に空気を送風すると、上部材２２は下部材２１の外周側に封止状態で一体に設けられた構造であるので、ブロア３２によってテント本体２の内部に送風された空気の圧力をテント本体２の外部に対して若干高くすることができる。このため、テント本体２の上部材２２は一人が入る空間を維持することができるのである。なお、ブロア３２の送風量は空間を維持できる程度に設定する。余分な送風は床９１上に載置された下部材２１と床９１との間を通過してテント本体２の外部に流出することになり、テント本体２の内部の圧力はほぼ一定に保たれる。
【００３８】
こうして、屋内用テント１を設置した後にマッサージチェア４をテント本体２の内部に収容する作業や、マッサージチェア４を避けながら屋内用テント１を組み立てる作業等の面倒な作業を要することがなくなっているのである。
【００３９】
また、こうして、屋内用テント１を設置した後にマッサージチェア４を収容する作業や、マッサージチェア４を避けながら屋内用テント１を組み立てる作業等の面倒な作業を要することなく、テント本体１が周囲から隔離された一人を収納する程度の大きさの空間を確保することができているのである。
【００４０】
また、この屋内用テント１は、テント本体２の下部材２１及び上部材２２が折り畳み可能な膜材からなるので、任意の場所において短時間に設置され得る他、収納時には小さく折りたたむことができ、持ち運びも容易になっているのである。
【００４１】
さらに、この屋内用テント１は、室内に設置されることから、テント本体２における下部材２１や上部材２２の周囲におもりやアンカー等を必要としていないのである。
【００４２】
したがって、この屋内用テント１は、一般家庭の室内において、一人だけが周囲から隔離された空間を簡易に構成でき、その空間内でやすらぎを得ることを容易に実現できているのである。
【００４３】
また、この屋内用テント１は、下部材２１及び上部材２２がフレームを有さない構造とされているので、収納時にテント本体２を折り畳むだけでよい。このため、フレームを分解、収納する手間を省くことができ、収納や持ち運びがさらに容易になっている。
【００４４】
また、この屋内用テント１は、上部材２２が光を透す透光窓２４を有している。このため、使用者１００がこの屋内用テント１内に入って休息する際に、空間内に光を採り入れることができ、圧迫感を緩和することができているのである。
【００４５】
さらに、この屋内用テント１において、送風手段３は、ブロア３２と、このブロア３２の下流側に接続されてテント本体２内に接続されるホース３３とを有する構成とされている。このため、ブロア３２をテント本体２からできるだけ離して設置することができているため、使用者１００がこの屋内用テント２内に入って休息する場合に、ブロア３２の運転音がテント本体２内に伝わり難くなっている。このため、使用者１００にとって一層静かなやすらぎの空間を得ることが可能となっているのである。
【００４６】
また、この屋内用テント１において、送風手段３は、冷風発生装置、温風発生装置、マイナスイオン発生装置及び酸素発生装置としてのエアコンディショナ５を有している。このため、この屋内用テント１は、夏にはエアコンディショナ５によって冷風をテント本体２の空間内に取り入れ、空間内に居る人が涼しく過ごすことが可能である。また、この屋内用テント１は、冬にはエアコンディショナ５によって温風をテント本体２の空間内に取り入れ、空間内に居る人が暖かく過ごすことが可能である。また、この屋内用テント１は、エアコンディショナ５によってマイナスイオンを発生させれば、空間内をより癒し効果の高いものにすることができる。さらに、この屋内用テント１は、エアコンディショナ５によって酸素を発生させれば、空間内に居る人の疲労回復効果を高めることができる。
【００４７】
また、この屋内用テント１では、室内のエアコンディショナ５を冷風発生装置等として採用しているため、そのエアコンディショナ５を通常のように使用することができるとともに、送風手段３の一部としても用いることができる。また、室内のエアコンディショナ５を冷風発生装置等として採用していることから、ブロア３２が簡易なものとなり、屋内用テント１のコストを安価なものにすることもできている。
【００４８】
以上において、本発明を実施例１に即して説明したが、本発明は上記実施例１に制限されるものではなく、その趣旨を逸脱しない範囲で適宜変更して適用できることはいうまでもない。
【００４９】
例えば、テント本体２の形状は、実施例１のような逆椀形状以外であってもよい。例えば、図６に示すように、ピラミッド形状のテント本体２ａや、図７に示すように、かまぼこ形状のテント本体２ｂを採用することも可能である。下部材２１の形状もＬ字形状でなく、図８に示すように、平らな環状であってもよい。この場合、上部材２２の下側周縁と下部材２１の外周側とが重ねられた封止部２１ａはテント本体２の外周側に張り出した形状とすることができ、上部材２２と下部材２１との一体化が容易になる。
【００５０】
また、実施例１においては、エアコンディショナ５が冷風発生装置、温風発生装置、マイナスイオン発生装置及び酸素供給装置を兼ねているが、各装置は、単体で室内に設置されていてもよいし、ブロア３２と一体にされていてもかまわない。
【００５１】
また、実施例１においては、ブロア３２は、屋内用テント２の外部に配置され、フレキシブルホース３３を経由してテント本体２に接続されているが、ブロア３２はテント本体２内に設置されてもよい。この場合には、屋内用テント２の設置面積が小さくなり、小さな部屋の中でも屋内用テント２が設置可能となるとともに、使用者１００の近くにブロア３２が設置されるので、リモコン等の付属機器がなくても、簡単にブロア３２の送風量調整等の操作を実施することができる。また、この場合、テント本体２の下部材２１の上にブロア３２を配置すれば、テント本体２の位置を固定したり、浮き上がりを防止する重しとすることができる。
【００５２】
また、屋内用テント２を板製の床９１上に設けず、畳や絨毯の上に設けることもできる。さらに、この屋内用テント２において、テント本体２の中にマッサージチェア４、ソファー、ベッド等を設置することを例としてあげたが、これらに限定されるものではなく、使用者１００がくつろぐために使用するものであれば、どのようなものでもかまわない。例えば、座椅子、クッション、座布団、布団、畳、絨毯等の小さなものであってもかまわない。また、これらとともにテレビ、オーディオ機器等を空間内に設けることもできる。なお、座布団や小さな絨毯によって空間からの空気の漏れを防止することも可能である。
【００５３】
また、この屋内用テント２において、上部材２２を折り畳み可能な膜材から立体縫製する際に、縫い糸として光を蓄えて暗闇で光る糸（例：商品名「蓄光糸」、発売元：バイリーンクリエイト）を用いることが可能である。この場合には、テント本体２の内部を暗くすると、上部材２２の立体縫製ラインに沿ってこの縫い糸が発光し、幻想的な空間を得ることができる。
【００５４】
また、この屋内用テント２において、透光窓２４にフィルム製のマジックミラーを設けることもできる。この場合には、例えば、外から内部を覗くことを防止しつつ、屋内用テント２に近づく人を中の人が確認することが可能となる。
【産業上の利用可能性】
【００５５】
本発明は屋内用テントに利用可能である。
【図面の簡単な説明】
【００５６】
【図１】実施例１の屋内用テントの上面図である。
【図２】実施例１の屋内用テントの側面図である。
【図３】実施例１の屋内用テントの断面図である。
【図４】実施例１の屋内用テントの要部拡大断面図である。
【図５】実施例１の屋内用テントの設置する前の室内の状態を示す図である。
【図６】実施例１の屋内用テントに係り、テント本体の変形例の概略斜視図である。
【図７】実施例１の屋内用テントに係り、テント本体の変形例の概略斜視図である。
【図８】変形例の屋内用テントの要部拡大断面図である。
【符号の説明】
【００５７】
１…屋内用テント
２…テント本体
３…送風手段
５…エアコンディショナ（冷風発生装置、温風発生装置、マイナスイオン発生装置及び酸素供給装置）
２１…下部材
２２…上部材
３２…ブロア
３３…ホース（フレキシブルホース）
２１１…開口
【図１】
2006070549.tif 000003
【図２】
2006070549.tif 000004
【図３】
2006070549.tif 000005
【図４】
2006070549.tif 000006
【図５】
2006070549.tif 000007
【図６】
2006070549.tif 000008
【図７】
2006070549.tif 000009
【図８】
2006070549.tif 000010